(57)【特許請求の範囲】
【請求項１】
多数の周壁透孔が形成され、洗濯物を収容して回転駆動される回転ドラムをその軸心方向を正面側から背面側に向けて下向き傾斜させて水槽内に設け、該水槽内への給水、排水および前記回転ドラムの回転の制御により洗濯、すすぎ、脱水の各工程を実施するとともに、送風手段により前記水槽内の空気を除湿手段および加熱手段を備えた循環送風経路を通して循環させることにより洗濯物の乾燥工程を実施するドラム式洗濯乾燥機において、
ミストを発生させる霧化ユニットを、前記循環送風経路から前記水槽に乾燥した空気を送り込む導風口に近接した上方の位置に備え、
回転ドラムの底壁に、前記導風口に対向する円周方向に沿った複数位置に底面開口が形成されるとともに、該底面開口の前面に前記底壁の一部を構成する薄肉円板状の隔壁部材が装着固定され、
前記隔壁部材には、その円形面のほぼ全域にわたって円周方向に長い略矩形状をなす多数の底壁透孔が形成され、前記隔壁部材の背面には、背面側に突出する複数の放射状リブが略放射状にかつ半径方向に対して前記回転ドラムの回転方向の一方側に傾斜して湾曲した円弧形状に形成されるとともに、前記放射状リブに交差するように背面側に突出する複数の円周リブが同心円状に形成され、前記放射状リブと前記円周リブとの交差位置の少なくとも一部に、前記放射状リブよりさらに背面側に突出する複数の突起リブが形成され、乾燥した空気および前記霧化ユニットで発生させたミストを、前記導風口から前記底面開口を介して、前記前記底壁透孔の略矩形状の長辺方向に沿った前記空気の流れに乗せて前記回転ドラム内に導入するドラム式洗濯乾燥機であって、
前記回転ドラムの回転により、前記回転ドラムの底壁透孔周辺に付着した水滴を前記放射状リブと前記円周リブとの交差する位置に集めて前記水槽内に排出することを特徴とするドラム式洗濯乾燥機。
【請求項２】
前記放射状リブおよび前記円周リブは、前記多数の底壁透孔を区画する桟に相当する部分にあって、前記底壁透孔の開口部分を遮ることのないように立設されていることを特徴とする請求項１に記載のドラム式洗濯乾燥機。
【発明の詳細な説明】
【技術分野】
【０００１】
本発明は、霧化ユニットを備え、乾燥された衣類等の洗濯物にミストを供給して、衣類等に入ったシワを低減するドラム式洗濯乾燥機に関するものである。
【背景技術】
【０００２】
従来、乾燥工程で、衣類等の洗濯物が入った回転ドラムを高速度で回転させ、乾燥させる間において、洗濯物が回転ドラムの内周壁などに張り付きながら乾燥されるため、乾燥された後の衣類等にシワが入るのが避けられず、このような衣類等をさらにハンガー等に架けて干す際にシワを伸ばすための手間を加えたり、さらにその後にアイロンがけを行ったりといったことが必要であった。
【０００３】
そこで、最近、微細な液滴からなるミストを発生する霧化ユニットを備え、衣類等（以下、単に衣類、洗濯物ということがある）の入った回転ドラムにミストを導入して、乾燥工程で衣類等に入った静電気やシワを低減する洗濯乾燥機や、衣類を収容する乾燥室にミストを導入して、衣類等を乾燥・脱臭する衣類乾燥機が開発されており、例えば、下記特許文献１、２に示されるような構成を有するものが知られている。
【０００４】
特許文献１に開示された洗濯乾燥機４０では、図１１に示すように、筐体４１内部に弾性的に吊支した外槽４２と、外槽４２内に回転自在に配設されて洗濯物を収容する内槽４３と、内槽４３内に温風を送風する送風手段４４（循環用送風機）と、送風手段４４により送風される空気を加熱する加熱手段４５と、熱交換器を有し、送風手段４４による温風を循環させる温風循環経路４６とを備え、噴霧装置４７が、温風循環経路４６（温風供給路）の加熱手段４５（ヒータ）を経た内槽４３への温風供給口４８近傍に設けられ、乾燥工程において温風循環経路内へミストを噴霧するよう構成されている。そして、乾燥工程にて衣類を撹拌した際に発生する静電気を除去し、静電気による人体への不快感を解消するとともに、乾燥終了後の衣類のシワを低減することができるとされている。
【０００５】
また、特許文献２に開示された衣類乾燥機５０では、図１２に示すように、衣類を収納する乾燥室５１と、この乾燥室５１内に供給する温風を発生する温風発生機構（ブロア５３、ヒータ５４）や乾燥室５１内に供給する電解ミストを発生する電解ミスト発生機構（エアポンプ５５、電解ミスト発生器５６）およびそれらの制御部５７を備え、電解ミスト発生機構から発生した電解ミストを温風発生機構の加熱手段（ヒータ５４）の後段（下流側）に供給して、加熱手段（ヒータ５４）からの熱風と混合することにより電解ミストを高温化して乾燥室５１に供給している。このような衣類乾燥機によれば、乾燥とともに脱臭を行うことができ、省スペース、低コスト化が可能で、長期間の使用による脱臭性能の低下も問題とならないとされている。
【特許文献１】特開２００３−３１１０６７号公報
【特許文献２】特開２００６−１５８５８５号公報
【発明の開示】
【発明が解決しようとする課題】
【０００６】
霧化ユニットにより発生するミストは、その粒径により浮遊性や表面張力（濡れ性）などの特性が異なる。すなわち、粒径１０μｍ未満の超微細ミストは、ドライミストとも呼ばれ、極めて微細であるため、表面張力が高く、浮遊性が高いが、物に付着したときの濡れ性が低いといった特徴を有している。粒径１０〜５０μｍの微細ミストは、ウェットミ
ストとも呼ばれ、上記のドライミストと比較して粒子径が相対的に大きいため、表面張力が弱く、物に付着したときの濡れ性が高いといった特徴を有している。粒径５０μｍを越える比較的粗大なミストは、水滴に近い性質を持っている。
【０００７】
これらの中で、濡れ性に優れたウェットミストは、洗濯物である衣類等に付着して効率的に洗濯物を湿らせながら、乾燥過程で衣類等のシワを低減させることができるので、このウェットミストを多く含むミストを回転ドラム槽内に充満させることが、衣類等のシワを低減させる効果を得る上で重要である。また、霧化ユニットで発生するミストを衣類の置かれた場所にまで導き入れる際に、導入管路の管壁等にできるだけ衝突させることなく、すなわち、管壁等に凝結して損失されることなく、効率的に多くのミストを衣類の置かれた場所に送り込むことが重要である。
【０００８】
上記の特許文献１、２で開示された洗濯乾燥機や衣類乾燥機では、このような観点が欠如しており、したがって、必ずしも効率良く衣類等のシワを低減させたり、乾燥・脱臭したりすることができなかった。
【０００９】
しかも、特許文献１に開示された洗濯乾燥機４０では、送風手段４４が加熱手段４５の上流側で、噴霧装置４７に対向するように配置されており、送風手段４４で発生した温風が噴霧装置４７に直接当たるように構成されている。したがって、噴霧装置４７から噴霧されたミストの一部はそのまま内槽４３内の衣類に達するものの、その他の大部分は温風循環経路４６の内壁面４６ａに衝突し、多くが内壁面４６ａで凝縮して水滴となって損失された後、内槽４３へ達することになる。この洗濯乾燥機４０では、ミストが内壁面４６ａに衝突するときの破砕効果によりマイナスイオンが発生して静電気の除電効果を高めることができるとしているが、噴霧装置４７から噴霧されたミストの大部分が途中で消失して内槽４３内の衣類にまで届かず、衣類を湿らせて、シワを有効に低減するのは困難であるという問題があった。
【００１０】
また、特許文献２に開示された衣類乾燥機５０では、電解ミスト発生器５６が乾燥室５１の下部に設けられた機械室５２に配置され、電解ミスト発生器５６から発生した電解ミストをヒータ５４の下流側に供給して、ヒータ５４からの熱風と混合することにより電解ミストを高温化した上で、ダクト室５９から上方に向けて放出し、複数のスリットや孔が形成された吹き出し部５１ａ（乾燥室５１の底板）を通して吹き出して乾燥室５１に供給している。このような構成においては、吹き出し部５１ａに複数のスリットや孔が形成されているとは言え、大部分のミストはスリットや孔の形成されていない底板の下面に衝突して、凝縮して水滴となって損失されることになる。したがって、このような衣類乾燥機５０では、電解ミスト発生器５６から発生したミストの大部分が途中で消失して、乾燥室５１内の衣類にまで届かないため、衣類を湿らせて、シワを低減することまではできないという問題があった。さらに、このように水滴が形成されて湿気たダクト室５９に熱風が供給されるため、湿気の多い熱風が乾燥室５１にも導入され、多少の脱臭効果は期待できても、衣類を十分に乾燥させることはできなかった。
【００１１】
本発明者らは、ミストを用いて洗濯物のシワを低減する方法について鋭意検討を行ってきた。本発明者らの詳細な検討によれば、洗濯物を適度に湿らせ、その後に乾燥させることにより、洗濯物のシワを伸ばすことが可能になる。すなわち、この洗濯物を湿らせる際に、乾燥率９０〜９６％（理想的には９５％）にミストで均一に湿らせるとともに、乾燥する際に、乾燥率９９％以上に乾燥させることが重要であることが分かってきた。なお、ここでいう乾燥率とは、洗濯する前の状態での洗濯物の重量を湿らせた後の洗濯物の重量で除した値に１００を掛けて％表示したものである。
【００１２】
本発明者らが得た知見によると、洗濯物を乾燥率９０〜９６％で均一に湿らせることに
より、洗濯物の繊維同士を結合する水素結合を解離させて、繊維同士が自由に動ける状態にすることができる。そして、この状態で回転ドラム内で回転されることによって、洗濯物に入っていたシワが伸ばされ、次に乾燥率９９％以上に乾燥させることによって、シワが伸びた状態の繊維同士に新たな水素結合を形成させて繊維を固定することができる。すなわち、シワが確実に伸ばされた状態で洗濯物を乾燥させることができる。
【００１３】
さらに、本発明者らの詳細な検討によれば、洗濯物を湿らせる際に、乾燥率９０〜９６％にミストで均一に湿らせることによって、洗濯物に付着していた臭い分子を脱離し、高温にしなくても、あるいはＡｇイオンの助けを借りなくても、容易に消臭できる効果のあることが分かってきた。すなわち、洗濯物を乾燥率９０〜９６％にミストで均一に湿らせることにより、洗濯物の繊維と臭い分子との結合がミストを構成する水分子により置換され、洗濯物表面に流れる風（高温である必要はない）によって、繊維との結合が解かれた臭い分子が繊維表面から容易に離脱する。そして、離脱した臭い分子は、風に連れ去られて回転ドラム内から循環送付経路内を運ばれ、凝縮器の配管内において周囲に存在する水分子とともに結露水中に捕捉され、最後には結露水とともに排水される。
【００１４】
ウェットミストは、高い濡れ性を有し、洗濯物表面に薄く均一に湿らすことができ、水分子が繊維と臭い分子との結合の間に滲入しやすいため、少量であっても容易にこの結合を切ることができる。熱によりこの繊維と臭い分子との結合を切ろうとすると、周辺環境もかなりな高温に曝されることになり、また、水で洗濯物を濡らすと、水を蒸発させて洗濯物を乾燥するのに長い時間が必要になるが、ミストを用いると、容易に繊維と臭い分子との結合を切って高い消臭効果を得ることができる。
【００１５】
しかしながら、ミストの発生手段として、超音波霧化方式を採用した場合、単位時間あたりのミスト発生量は、ミスト発生源となる水の温度、超音波振動子を駆動する発振回路部への入力電圧等の変化により増減する。例えば、１．６ＭＨｚで発振する超音波振動子を用いた場合、他の条件を固定し、水温のみを５℃から３０℃に変化させると、ミスト発生量は約１．５倍になる。また、発振回路に入力する電圧のみを９５Ｖから１０７Ｖに変化させると、ここでもミスト発生量は約１．５倍になる。通常、前述した水温変化、電圧変化は家庭内での普通の使用環境下においてに起こり得る変化であるため、仮に、ミスト発生量が最小となる条件で、洗濯物の乾燥率がシワのばしに最適な９０〜９６％の範囲になるように調整すると、ミスト発生量が最大となる条件ではミスト発生量が過剰になり、洗濯物の乾燥率７０％近くまで低下し、なおかつ不均一に濡れてしまうため、ミストを用いる意味がなくなってしまう。逆に、ミスト発生量が最大となる条件で、洗濯物の乾燥率がシワのばしに最適な９０〜９６％の範囲になるように調整すると、ミスト発生量が最小となる条件では洗濯物が殆ど湿らず、洗濯物の乾燥率が９９％程度にしかならないという問題があった。
【００１６】
本発明は、以上のような課題に鑑みて為されたものであり、霧化ユニットで発生したミストを、濡れ性に優れた粒径１０〜５０μｍのウェットミストを主体とする状態で回転ドラム内に導入して充満させ、水の温度や発振回路部への入力電圧等が変化しても、衣類表面を効果的に乾燥率９０〜９６％に湿らせることにより、優れたシワ低減効果を発揮することのできるドラム式洗濯乾燥機を提供することを目的としている。
【課題を解決するための手段】
【００１７】
請求項１に係る発明のドラム式洗濯乾燥機は、多数の周壁透孔が形成され、洗濯物を収容して回転駆動される回転ドラムをその軸心方向を正面側から背面側に向けて下向き傾斜させて水槽内に設け、該水槽内への給水、排水および前記回転ドラムの回転の制御により洗濯、すすぎ、脱水の各工程を実施するとともに、送風手段により前記水槽内の空気を除湿手段および加熱手段を備えた循環送風経路を通して循環させることにより洗濯物の乾燥
工程を実施するドラム式洗濯乾燥機において、  ミストを発生させる霧化ユニットを、前記循環送風経路から前記水槽に乾燥した空気を送り込む導風口に近接した上方の位置に備え、回転ドラムの底壁に、前記導風口に対向する円周方向に沿った複数位置に底面開口が形成されるとともに、該底面開口の前面に前記底壁の一部を構成する薄肉円板状の隔壁部材が装着固定され、前記隔壁部材には、その円形面のほぼ全域にわたって円周方向に長い略矩形状をなす多数の底壁透孔が形成され、前記隔壁部材の背面には、背面側に突出する複数の放射状リブが略放射状にかつ半径方向に対して前記回転ドラムの回転方向の一方側に傾斜して湾曲した円弧形状に形成されるとともに、前記放射状リブに交差するように背面側に突出する複数の円周リブが同心円状に形成され、前記放射状リブと前記円周リブとの交差位置の少なくとも一部に、前記放射状リブよりさらに背面側に突出する複数の突起リブが形成され、乾燥した空気および前記霧化ユニットで発生させたミストを、前記導風口から前記底面開口を介して、前記前記底壁透孔の略矩形状の長辺方向に沿った前記空気の流れに乗せて前記回転ドラム内に導入するドラム式洗濯乾燥機であって、前記回転ドラムの回転により、前記回転ドラムの底壁透孔周辺に付着した水滴を前記放射状リブと前記円周リブとの交差する位置に集めて前記水槽内に排出することを特徴とするものである。
【００１８】
請求項１に係る発明のドラム式洗濯乾燥機によれば、霧化ユニットで発生した粒径１０〜５０μｍのウェットミストを主体とするミストが、導風口の上方に位置する霧化ユニットと循環送風経路との接続口から、循環送風経路に送り込まれ、自重で落下するようにしてその下方に位置する導風口に流れ落ち、さらに、導風口から底面開口を介して、隔壁部材に形成された底壁透孔の略矩形状の長辺方向に沿った空気流れに乗って回転ドラム内に導入される。このように、霧化ユニットから導風口までの移動経路が短く、しかも、自重で導風口に流れ落ちるように構成されているため、移動経路の途中で管壁等に衝突して脱落分離する現象が抑制され、互いに凝集する現象が抑制されて、濡れ性に優れた粒径１０〜５０μｍのウェットミストを主体とする状態でミストを回転ドラム内に導入し、充満させることができ、また、ミストが過剰に発生する条件においては、余剰のミストを回転ドラムの底壁透孔周辺に凝集させて回転ドラム内に導入されるのを防止することができるため、たとえ、水の温度や発振回路部への入力電圧等が変化しても、衣類表面を効果的に乾燥率９０〜９６％に湿らせることができるとともに、このような状態の衣類を乾燥することにより、衣類に入ったシワを効果的に低減することができる。
【００１９】
しかも、上記構成によれば、多数の底壁透孔を、隔壁部材のほぼ全域にわたって円周方向に長い略矩形状をなすように形成しているため、底壁透孔を円形状に形成するものに比べて、個々の底壁透孔の開口面積を大きく設定することができる。これにより、底板面（隔壁部材の円形面）に対する底壁透孔の開口面積比率を大きく設定することができ、回転ドラムへの送風量を多くして、大量のミストを短時間に効率的に回転ドラム内に導入することができる。
【００２０】
なお、底壁透孔周辺に凝集されるミストの量は、底壁透孔とミストとの接触効率に依存し、この底壁透孔を通過しようとするミストの量に応じて決まることになる。通過しようとするミストの量が少ない場合には、接触効率が低いため、ほとんど底壁透孔にトラップされず、ミストの量が過剰な場合には、接触効率が高くなるため、多くのミストが底壁透孔にトラップされることになる。底壁透孔を略矩形状とすることにより、底壁透孔の開口面積比率およびミストとの接触効率を設定する際の自由度が広がることになる。この底壁透孔の開口面積比率を大きく、ミストとの接触効率を適正に設定することにより、水の温度や発振回路への入力電圧等が変化しても、ミスト発生量の増減に応じて底壁透孔周辺で凝集させて回転ドラム内に導入されるミスト量を大きく変化させることなく、一定の範囲内に維持できることになる。これにより、衣類表面を効果的にシワのばしに最適な乾燥率９０〜９６％に湿らせることができ、このような状態の衣類を乾燥することにより、衣類に入ったシワを効果的に低減することができる。
【００２１】
また、回転ドラムの底壁透孔周辺に凝集された水滴が、回転ドラムの回転に伴い、重力もしくは遠心力により、隔壁部材の背面に形成した放射状リブに沿って流れ、円周方向に形成した円周リブに沿って回転方向の逆方向に集められて、放射状リブと円周リブとの交差する位置から、あるいはこの交差位置に形成された突状リブを伝って水槽内に排出されることで、霧化ユニットで霧化される水の温度や発振回路への入力電圧等が変化しても、衣類表面を効果的に乾燥率９０〜９６％に湿らせることができ、このような状態の衣類を乾燥することにより、衣類に入ったシワを効果的に低減することができる。また、隔壁部材に、互いに交差する放射状リブと円周リブとを形成することにより、隔壁部材の変形強度を向上させることができ、その分、底壁透孔の開口面積比率を大きく設定することができる。
【００２２】
また、放射状リブが半径方向に対して傾斜して円弧形状に形成されているため、半径方向に直線状に形成されるものに比べて、回転ドラムの底壁透孔周辺に凝集された水滴は、回転ドラムの回転に伴い、半径方向に移動しやすく、放射状リブと円周リブとの交差位置に集められて、この交差位置から、あるいはこの交差位置に形成された突状リブを伝って効率的に水槽内に排出されることになる。
【００２３】
また、放射状リブが半径方向に対して傾斜して円弧形状に形成されていると、回転ドラムが回転した際に、底面開口から回転ドラム内に導入される乾燥した空気が、外方または内方寄りに向きを変えて回転ドラム内に送り込まれることになる。実際には、回転ドラムは正逆方向に交互に回転されるため、外方寄りおよび内方寄りに交互に向きを変えて回転ドラム内に送り込まれ、この乾燥した空気の流れに乗って回転ドラム内に導入されるミスト（特に、浮遊性の高いドライミスト）が回転ドラム内において攪拌され、充満することになる。そして、このように攪拌され、回転ドラム内に充満したミストが洗濯物を均一に湿らせるのに寄与して、衣類に入ったシワをより効果的に低減することができる。
【００２４】
請求項２に係る発明のドラム式洗濯乾燥機は、請求項１に記載のドラム式洗濯乾燥機において、前記放射状リブおよび前記円周リブは、前記多数の底壁透孔を区画する桟に相当する部分にあって、前記底壁透孔の開口部分を遮ることのないように立設されていることを特徴とするものである。
【００２５】
請求項２に係る発明のドラム式洗濯乾燥機によれば、放射状リブおよび円周リブが、底壁透孔の開口部分を遮ることのないように、多数の底壁透孔を区画する桟に相当する部分に立設されているため、放射状リブや円周リブの存在によって底壁透孔の開口面積を減少させることなく、大量のミストを短時間に効率的に回転ドラム内に導入することができる。また、放射状リブや円周リブが障害となって、ミストが余分に放射状リブや円周リブの周辺に凝集されて、回転ドラム内に導入されるミスト量が減少することもなくなる。
【発明の効果】
【００２６】
本発明によれば、霧化ユニットで発生したミストを、濡れ性に優れた粒径１０〜５０μｍのウェットミストを主体とする状態で回転ドラム内に導入して充満させることができ、衣類表面を効果的に湿らせることができる。そして、このような状態の衣類を乾燥することにより、衣類に入ったシワを効果的に低減することができる。
【００２７】
また、回転ドラムの底壁透孔周辺に凝集された水滴が、回転ドラムの回転に伴い、重力もしくは遠心力により、隔壁部材の背面に形成した放射状リブに沿って流れ、円周方向に形成した円周リブに沿って回転方向の逆方向に集められて、放射状リブと円周リブとの交差する位置から、あるいはこの交差位置に形成された突状リブを伝って水槽内に排出することができる。
【発明を実施するための最良の形態】
【００２８】
以下、本発明のドラム式洗濯乾燥機に係る最良の実施の形態について、図面に基づき説明する。なお、下記に開示される実施の形態はすべての点で例示であって、制限的なものではないと考えられるべきである。本発明の技術的範囲は、実施の形態で開示された内容ではなく、特許請求の範囲の記載によって示され、さらに、特許請求の範囲と均等の意味および範囲内でのすべての変更が含まれると解されるべきである。
【００２９】
（実施の形態１）
まず、本発明の実施の形態１に係るドラム式洗濯乾燥機の構造とその動作について、図１〜図４に基づき説明する。図１は、本発明の実施の形態１に係るドラム式洗濯乾燥機の構造を説明するための側面断面図であり、図２は、ドラム式洗濯乾燥機の循環送風経路および霧化ユニットの配置を説明するための筐体背面側から見た斜視図である。また、図３は、ドラム式洗濯乾燥機の循環送風経路および霧化ユニットの構造を説明するための筐体背面側から見た一部を切り欠いて示す断面図であり、図４は、ドラム式洗濯乾燥機の霧化ユニットと水槽との接続構造を説明するための側面断面図である。
【００３０】
まず、本発明の実施の形態１に係るドラム式洗濯乾燥機１は、洗濯乾燥機筐体２内に図示しないサスペンション構造によって水槽３が宙吊り状態に配設され、水槽３内に有底円筒形に形成された回転ドラム４がその軸心方向を正面側から背面側に向けて下向きに傾斜させて配設されている。水槽３の正面側には回転ドラム４の開口端に通じる衣類出入口が形成され、洗濯乾燥機筐体２の正面側に形成された上向き傾斜面に設けられた開口部を開閉可能に閉じる扉５を開くことにより、衣類出入口を通じて回転ドラム４内に対して洗濯物を出し入れすることができる。扉５が上向き傾斜面に設けられているため、洗濯物を出し入れする作業を、腰を屈めることなく実施でき、一般には横向きにある開口部から洗濯物を出し入れするドラム式洗濯機の作業性の悪さが改善されている。
【００３１】
ここで、実施の形態１に係るドラム式洗濯乾燥機の回転ドラムの底壁の構造について、図５、図６に基づき説明する。図５は、本実施の形態１に係るドラム式洗濯乾燥機の回転ドラムの底壁の構造を説明するための背面図であり、図６は、その側面断面図である。
【００３２】
回転ドラム４は、その周壁４ａに水槽３内に通じる多数の周壁透孔４ｂが形成されており、周壁４ａ内面には、円周方向の複数位置に攪拌突起４ｃが設けられている。また、回転ドラム４の底壁４ｄに水槽３に形成された導風口１８に対向する円周方向に沿った複数位置に底面開口４ｅが形成されている。そして、この底面開口４ｅの前面に底壁４ｄの一部を構成する薄肉円板状の隔壁部材４ｆが装着固定されており、この隔壁部材４ｆには、そのほぼ全域にわたって円周方向に長い略矩形状をなす多数の底壁透孔４ｇが形成され、また、この隔壁部材４ｆの背面には、背面側に突出する複数の放射状リブ４ｈが略放射状に形成されるとともに、これらの放射状リブ４ｈに交差するように放射状リブ４ｈよりさらに背面側に突出する複数の円周リブ４ｉが同心円状に形成されている。
【００３３】
本実施の形態１において、放射状リブ４ｈは、回転ドラム４の回転方向の一方側に傾斜して湾曲した円弧形状に形成され、そして、放射状リブ４ｈおよび円周リブ４ｉは、多数の底壁透孔４ｇを区画する桟に相当する部分にあって、底壁透孔４ｇの開口部分を遮ることのないように立設されている。底壁透孔４ｇは、隔壁部材４ｆの中央部付近からその周縁部近くにまで形成され、略矩形状の長辺が円弧状をなし、同心円状に配列されており、底壁透孔４ｇの隔壁部材４ｆの円形面に対する開口率（面積）は、８０％程度に設定されている。
【００３４】
また、底壁４ｄに形成された複数の底面開口４ｅの間を仕切る開口仕切り部４ｋは、半
径方向に放射状に形成されており、この開口仕切り部４ｋと隔壁部材４ｆに形成された放射状リブ４ｈとは、湾曲状の傾斜角度をもって対向している。
【００３５】
この回転ドラム４は、水槽３の背面側に取り付けられたモータ６によって正転および逆転方向に回転駆動される。また、水槽３には、給水管路７および排水管路８が配管接続され、図示しない給水弁および排水弁の制御によって水槽３内への給水および水槽３内からの排水がなされる。
【００３６】
扉５を開いて開口部から回転ドラム４内に衣類等の洗濯物および洗剤を投入して、ドラム式洗濯乾燥機１の運転を開始すると、水槽３内には給水管路７から所定量の注水がなされ、モータ６により回転ドラム４が回転駆動されて洗濯工程が開始される。回転ドラム４の回転により、回転ドラム４内に収容された洗濯物は回転ドラム４の内周壁に設けられた攪拌突起４ｃによって回転方向に持ち上げられ、持ち上げられた適当な高さ位置から落下する攪拌動作が繰り返されるので、洗濯物には叩き洗いの作用が及んで洗濯がなされる。
【００３７】
所要の洗濯時間が経過した後、汚れた洗濯液は排水管路８から排出され、回転ドラム４を高速で回転させる脱水動作により洗濯物に含まれた洗濯液を脱水し、その後、水槽３内に給水管路７から給水してすすぎ・脱水工程が実施される。このすすぎ・脱水工程においても、回転ドラム４内に収容された洗濯物は、回転ドラム４の回転により攪拌突起４ｃにより持ち上げられて落下する攪拌動作が繰り返され、すすぎ洗いが実施される。そして、すすぎ洗いを実施した後、再度、回転ドラム４を高速で回転させる脱水動作により洗濯物に含まれた水を脱水して、すすぎ・脱水工程を終了する。
【００３８】
このドラム式洗濯乾燥機１には、回転ドラム４内に収容した洗濯物を乾燥する機能が設けられ、水槽３内の空気を排気して除湿し、加熱した乾燥空気を再び水槽３内に送風する循環送風経路９が設けられている。この循環送風経路９の途中には、洗濯乾燥機筐体２内の下位の位置に、蒸発器１０などの除湿手段、凝縮器１１などの加熱手段および送風ファン１２などの送風手段が設けられている。循環送風経路９は、水槽３から送風ファン１２に至る間の循環空気導入管路１３と、送風ファン１２から水槽３に至る間の乾燥空気送風管路１４とで構成されており、乾燥空気送風管路１４おける水槽３底面に形成された導風口１８に近接した上方の位置に霧化ユニット３０が接続されている。
【００３９】
乾燥空気送風管路１４は、洗濯乾燥機筐体２内の後方（水槽３の背面側）の空間において、上流側から順に、下部管路１５、可撓ダクト１６および上部管路１７をもって構成されており、上部管路１７の下流端の下方に連通口１７ａが開口され、この連通口１７ａは水槽３の背面に設けられた導風口１８に接続されている。上部管路１７は、その下方部分においては筐体２の中央寄りに傾斜して立ち上げられ、途中で略９０°屈曲されて、その上方部分においては水槽３の導風口１８に向けて下方に傾斜している。可撓ダクト１６は、可撓性を有する管材を用いて構成され、回転ドラム４の回転あるいは始動・停止に伴う下部管路１５の振動が送風ファン１２側に伝達されるのを防止している。蒸発器１０で除湿され、凝縮器１１で加熱された乾燥空気は、乾燥空気送風管路１４を経由して、この導風口１８から水槽３、およびその内部に位置する回転ドラム４に送り込まれる。
【００４０】
送風ファン１２を高速で回転駆動することにより、循環送風経路９に空気の流れが発生して、洗濯物を収容した回転ドラム４内の湿気た空気は、周壁４ａに設けられた周壁透孔４ｂを通じて水槽３から送風ファン１２側への循環空気導入管路１３に排気され、送風ファン１２の上流に位置する蒸発器１０により水分を結露させて除湿されるとともに、凝縮器１１との熱交換により加熱されることにより、高温の乾燥空気とされる。
【００４１】
この加熱された乾燥空気は、送風ファン１２から水槽３への乾燥空気送風管路１４に送
り出されて、水槽３に設けられた導風口１８を介して水槽３内に送り込まれる。水槽３内に送り込まれた高温の乾燥空気は、回転ドラム４の底壁４ｂに設けられた底面開口４ｅおよび周壁透孔４ｂを通じて回転ドラム４内に導入され、衣類などの洗濯物の間を流通し、乾燥させながら、湿った空気となって周壁４ａに設けられた周壁透孔４ｂから水槽３へと抜け、再度、循環空気導入管路１３へと導入される。このような循環送風経路９（循環空気導入管路１３、乾燥空気送風管路１４）での空気の循環により乾燥工程が実施される。
【００４２】
ここで、本実施の形態１に係るドラム式洗濯乾燥機１には、後述する霧化ユニット３０および、回転ドラム４を回転させながら乾いた衣類のシワをのばして低減させることを目的とした「シワのばしコース」が設けられている。この「シワのばしコース」においては、蒸発器１０および凝縮器１１を停止させ、回転ドラム４および送風ファン１２の回転速度を通常の乾燥工程におけるよりも低速で回転させるとともに、霧化ユニット３０を起動させることにより、霧化ユニット３０で微細な液滴からなるミスト２０を発生させ、このミスト２０を乾燥空気送風管路１４を流通する乾燥空気流に落とし込んで、詳しくは後述するが、ミスト２０中に微細なウェットミストおよびドライミストが多く存在する状態で水槽３に送り込み、回転ドラム４内に導入する。このようにして、回転ドラム４内の隅々にまでミスト２０を充満させ、衣類表面を効果的に湿らせて、乾燥状態にある衣類のシワを低減させるシワ低減効果を持たせた工程が実行される。さらに、その後、霧化ユニット３０を停止させ、回転ドラム４および送風ファン１２の回転速度を通常の乾燥工程と同じ速度にまで上昇させるとともに、蒸発器１０および凝縮器１１を動作させて、通常の乾燥運転を実施して、衣類を乾燥させながらその衣類のシワをのばすことができる。なお、上記の「シワのばしコース」においては、必ずしも回転ドラム４を回転させなくてもよい。
【００４３】
また、上記の「シワのばしコース」においては、上記のようにミスト２０でシワを低減することが可能であるとともに、さらに以下の原理により脱臭効果も期待できるものである。通常、臭いは、臭い成分が分子として衣類表面に付着している。例えば、タバコ、焼肉の臭いなどがそうであるが、この臭い分子にミスト２０がぶつかることで、臭い分子を水の分子自身に溶かし込む作用により、衣類から脱離させる。そして、このようなミスト処理後に、乾燥運転を行い、臭い成分が溶解している水を高温低湿な空気により蒸発させることで、臭い分子が衣類に再付着することを防止し、脱臭することが可能となる。
【００４４】
次に、本発明に係る霧化ユニット３０の構成および「シワのばしコース」について、図７、図８および前掲の図面に基づき説明する。図７は、本発明の実施の形態１に係るドラム式洗濯乾燥機の霧化ユニットの構造を説明するための側面断面図であり、図８は、その背面断面図である。
【００４５】
霧化ユニット３０は、この導風口１８に近接した上方の位置に配設され、ミスト発生源としての水２１を貯留する水溜め容器３１と、水溜め容器３１に貯留された水２１に対して超音波振動を加える超音波振動子３２と、水溜め容器３１に水２１を注入する注水装置３３と、水溜め容器３１内の水温を測定する水温センサ３５と、を備えて構成されている。そして、霧化ユニット３０の水溜め容器３１が、水槽３の背面において導風口１８に隣接した上方位置に配置され、導風口１８の上方に位置する接続口３１ｅを介して直接乾燥空気送風管路１４（循環送風経路９）の上部管路１７に接続されている。
【００４６】
水溜め容器３１は、水槽３の背面外側に隣接して固定され、水溜め容器３１の水槽３に対向する前方側の側壁３１ｂが水槽３の背面に沿って鉛直方向に対して傾斜して形成され、後方側の側壁３１ｂが洗濯乾燥機筐体２の背面パネルに沿って鉛直方向に形成され、水溜め容器３１の底壁３１ａ側が幅広に形成されている。
【００４７】
この水溜め容器３１には、ミスト発生源としての水２１が貯留されており、その上部に
この水２１を注水装置３３から注入する注水口３１ｃが設けられ、上部管路１７に対向する側の側壁３１ｂに開口堰３１ｄが設けられ、これにより、導風口１８の上方部分で上部管路１７に接続する接続口３１ｅが設けられている。注水口３１ｃから水溜め容器３１内に注入された水２１をこの開口堰３１ｄから接続口３１ｅを介して導風口１８上方の上部管路１７にオーバーフローさせることにより、簡単な構成で水溜め容器３１内の水２１を一定の水位に保つように構成している。なお、この開口堰３１ｄからオーバーフローした水２１は、接続口３１ｅ、上部管路１７および導風口１８を介して水槽３に送給され、排水管路８を経由して機外に排出される。
【００４８】
超音波振動子３２は、超音波振動を発生させる圧電素子の振動面３２ａを水溜め容器３１の底壁３１ａに密着させて配置されており、圧電素子を作動させることにより、超音波発信方向３２ｂ（振動面３２ａに垂直な方向）に超音波振動が伝達されて水溜め容器３１内の水２１に液柱２２が形成される。なお、図８に示すように、超音波振動子３２は、振動面３２ａが接続口３１ｅの反対側に向くように傾斜して取り付けられているので、液柱２２は、接続口３１ｅの反対側の側壁３１ｂ内面方向に向いて形成される。この液柱２２の形成に伴い、矢印で示すように水溜め容器３１内の水２１には液柱２２に沿って上昇し、側壁３１ｂ内面に沿って下降および上昇する、水２１および空気の対流が発生する。それとともに、この液柱２２を通して伝達された超音波振動が水２１の表面を微細に振動させ、これにより液柱２２の先端付近の表面張力を弱めて、液柱２２の微細な振動に応じた微細な液滴であるミスト２０（霧）を発生させ、このミスト２０は、前記した水２１の対流運動に押し出されるようにして超音波発信方向３２ｂに向けて放出される、水２１および空気の対流に従って側壁３１ｂ内面に沿って下降および上昇し、その後、貯留された水２１の表面および側壁３１ｂ内面に沿って接続口３１ｅを介して導風口１８上方の上部管路１７に放出される。そして、上部管路１７に放出されたミスト２０は、すぐ下方の導風口１８から水槽３に送り込まれ、さらに、回転ドラム４の底面開口４ｅと底壁透孔４ｇを介して回転ドラム４内に導入される。
【００４９】
さらに、本実施の形態１においては、ミスト２０を回転ドラム４内に導入する際に、送風ファン１２を５００ｒｐｍ程度の回転速度で回転させている。このときの循環送風経路９内での空気流の送風量は０．１５ｍ3 ／ｍｉｎとなり、通常の乾燥工程における定格運転時（送風ファン１２を回転速度５８００ｒｐｍで回転させ、乾燥空気送風管路１４に２．２ｍ3 ／ｍｉｎの風量の乾燥空気が送り込まれる）に対して、回転ファンの回転速度で１／１０程度、送風量で１／３程度に相当している。このような弱い風量で乾燥空気送風管路１４に空気を流通させることにより、ミスト２０を導風口１８から回転ドラム４内に押し込む風圧が作用して、適正に回転ドラム４内に導入することができるとともに、さらに、ウェットミストとともに、浮遊性の高いドライミストも同時に導風口１８から回転ドラム４内に導入することができ、衣類の温度が常温近くにあり、ミスト２０の温度が高い場合、衣類表面に水分が凝縮して、より一層効率的に衣類を湿らせることができる。
【００５０】
このような効果を得るための循環送風経路９内での空気流の送風量としては、０．０５ｍ3 ／ｍｉｎ〜１．００ｍ3 ／ｍｉｎが適当であり、この送風量が０．０５ｍ3 ／ｍｉｎ未満であると、ウェットミストが回転ドラム４内に導入される際に、回転ドラム４内にある衣類が障害となって、回転ドラム４内に十分入り込めず、その一部が水槽３と回転ドラム４との間に流れ落ちることもあり、さらに、ドライミストの回転ドラム４内に導入される量が減って上記の効果が十分に得られないことになる。また、循環送風経路９内での空気流の送風量が１．００ｍ3 ／ｍｉｎを超えると、ウェットミストが乾燥空気送風管路１４（上部管路１７）の管壁に衝突してウェットミストの存在比率を減少させ、かつドライミストも衣類に付着することなく、回転ドラム４内を通過してしまうことになる。
【００５１】
さらに、本実施の形態１においては、図３および図８に示すように、水溜め容器３１の
乾燥空気送風管路１４に繋がる接続口３１ｅの上方部近辺に整流フィン３６（整流手段）を設けている。整流フィン３６は、接続口３１ｅから乾燥空気送風管路１４側に入った位置で乾燥空気送風管路１４を水平に横断する板状の部材により構成されている。上述したように、「シワのばしコース」において送風ファン１２を回転駆動したとき、乾燥空気送風管路１４内に空気の流れが発生するが、整流ファン３６を設けない場合、空気送風管路１４内を流通してきた空気が接続口３１ｅから霧化ユニット３０（水溜め容器３１）内部に入りにくいが、整流フィン３６を設けることにより、破線矢印で示すように、空気の一部が整流フィン３６の上方部分を通過することによって分岐され、接続口３１ｅの上方部から霧化ユニット３０内に導入され、その後、霧化ユニット３０内を循環して、接続口３１ｅから再び乾燥空気送風管路１４に戻る空気の流れが形成されることになる。このような状態の中で、霧化ユニット３０で発生したミスト２０は、上述した空気の流れに乗って乾燥空気送風管路１４に流れ込み、さらに、自重および空気の流れにより、導風口１８に向けて落とし込まれ、水槽３、さらには回転ドラム４内に導入されることになる。
【００５２】
なお、液柱２２は、上述したように接続口の反対側の側壁３１ｂ内面に向かって傾斜して形成されるので、液柱２２によって水２１が直接接続口を介して上部管路内にこぼれてしまうのを防止することができため、水溜め容器３１内の水２１の余分な減少を防止することができる。
【００５３】
注水装置３３は、水溜め容器３１においてミスト２０発生により消費された水２１を補給するためのものであり、注水装置３３の下方に設けられた給水口３３ａと水溜め容器３１の注水口３１ｃとの間は注水ホース３４によって接続され、その間の適所に開閉弁（図示せず）を備えている。注水装置３３は、霧化ユニット３０を起動させた最初の段階で、開閉弁を開いて、水溜め容器３１内に水が溜まるのに十分な所定時間だけ、注水装置３３の給水口３３ａから注水ホース３４を介して水２１を送給するとともに、過剰な水２１を側壁３１ｂの開口堰３１ｄからオーバーフローさせて、水溜め容器３１内の水２１を一定の水位に保つ。この起動初期における注水動作は、休止中に蒸発等により減った水溜め容器３１内の水２１を補充し、常に一定水位の状態下で霧化ユニット３０を運転するためのものである。
【００５４】
水温センサ３５は、サーミスタ等を用いて構成され、水溜め容器３１内の水温を測定するものである。水温センサ３５により測定された水温が所定温度（超音波振動子３２の使用上限温度あるいはそれより少し低い温度に設定）を超えた場合には、注水装置３３から水２１を補給して、水温を下げ、常に水溜め容器３１内の水温が上記の所定温度を超えないようにする。このように、注水装置３３から水２１を補給することにより、水溜め容器３１内の水２１が速やかに冷却され、特別な冷却装置を用いることなく、水溜め容器３１内の水２１が超音波振動子３２の使用上限温度を超えないようにすることができる。なお、一定の時間周期で注水装置３３から水２１を補給し、常に水温の上昇を抑えるように動作させる場合には、水温センサ３５を設けなくても良い。
【００５５】
霧化ユニット３０により発生するミスト２０は、その粒径により浮遊性や表面張力（濡れ性）などの特性が異なる。すなわち、粒径１０μｍ未満の超微細ミストは、ドライミストとも呼ばれ、極めて微細であるため、表面張力が高く、浮遊性が高いが、物に付着したときの濡れ性が低いといった特徴を有している。粒径１０〜５０μｍの微細ミストは、ウェットミストとも呼ばれ、上記のドライミストと比較して粒子径が相対的に大きいため、表面張力が弱く、物に付着したときの濡れ性が高いといった特徴を有している。粒径５０μｍを越える比較的粗大なミストは、水滴に近い性質を持っている。
【００５６】
そして、霧化ユニット３０で発生したミスト２０は、導風口１８まで移動する間に水溜め容器３１の側壁３１ｂや上部管路１７の管壁に衝突したり、あるいは、互いに凝集した
りして、次第に粗大ミストが脱落分離され、微細なウェットミストがその存在比率を増していく。そして、ウェットミストを主体とする状態で回転ドラム４内に導入される。ここで、ウェットミストを主体とする状態のミスト２０とは、ウェットミストが体積存在率で全体の５０％を超える状態であり、レーザ回折散乱法による測定装置で測定されミスト２０の粒度分布において、平均粒径（メディアン径Ｄ50 ）が１０〜５０μｍの範囲にある状態を意味する。
【００５７】
ミスト２０が導風口１８まで移動する間の経路が長かったり、その経路途中に屈曲部が存在したりすると、微細なウェットミストまでが凝集して脱落分離され、ミスト２０中のウェットミストの存在比率が減少し、ドライミストを主体としたミスト２０になるため、望ましくない。上記した構成によると、霧化ユニット３０で発生したミスト２０が、導風口１８の上方に位置する霧化ユニット３０（水溜め容器３１）と乾燥空気送風管路１４（上部管路１７）との接続口３１ｅから、乾燥空気送風管路１４に送り込まれ、自重で落下し、導風口１８から、ウェットミストを主体とする状態で水槽３に落とし込まれ、さらに回転ドラム４内に導入される。しかも、送風ファン１２が洗濯乾燥機筐体２内の下位の位置に配置され、この送風ファン１２から乾燥空気送風管路１４に乾燥空気が送り込まれるので、ミスト２０が導入される霧化ユニット３０の接続口３１ｅでは、送風ファン１２からの風圧（動圧）の影響を受けることなく、ミスト２０が乾燥空気流中に導き入れられることになる。
【００５８】
このように、霧化ユニット３０から導風口１８まで移動経路が短く、しかも、自重で落下するように構成されているため、移動経路の途中でのウェットミストの凝集を抑制し、濡れ性に優れた粒径１０〜５０μｍのウェットミストを主体とする状態でミスト２０を回転ドラム４内に導入して充満させることができ、衣類表面を効果的に湿らせることができるとともに、このような状態の衣類を乾燥することにより、衣類に入ったシワを効果的に低減することができる。
【００５９】
さらに、「シワのばしコース」においては、必ずしも回転ドラム４を回転させなくても衣類のシワ低減効果が得られるが、本実施の形態１では上述したように、回転ドラム４を回転させている。回転ドラム４内にある衣類は常温の乾燥した状態にあるのに対して、超音波振動子３２の発振により水溜め容器３１内の水温が上昇するため、発生するミスト２０は衣類の表面温度に比較して高い温度になる。したがって、ドライミストも高い温度の状態で回転ドラム４内に導入することができるため、ウェットミストだけでなく、ドライミストも、ミストの温度よりも低い温度にある衣類の表面および回転ドラム４の周壁４ａ等に容易に凝縮して微細な水滴として結露するが、このとき回転ドラム４を回転駆動させることにより、衣類がかき混ぜられ、ドライミストを含むミスト２０が衣類に邪魔されずに回転ドラム４内に導入することができ、衣類全体をさらに効率的に湿らせることができる。
【００６０】
本実施の形態１においては、ミスト２０を接続口３１ｅから乾燥空気送風管路１４に送り込み、自重により落下させ、空気流に乗せて、導風口１８から水槽３、さらには回転ドラム４内に導入するとともに、ミスト導入時（霧化ユニット起動時）においては、回転ドラム４を衣類がかき混ぜられる４５ｒｐｍ程度の回転速度で静かに回転させている。このように、回転ドラム４を静かに回転させることにより、そのままでは回転ドラム４内の底部付近に滞留しやすいウェットミストを回転ドラム４内の隅々にまで充満させることができ、回転ドラム４内の衣類を濡れ性の高いウェットミストにより効果的に湿らせることができる。そして、このような状態の衣類を乾燥することにより、衣類に入ったシワを効果的に低減することができる。
【００６１】
このようなウェットミストを回転ドラム４内の隅々にまで充満させるため、回転ドラム
４を静かに回転させるときの回転速度は１５〜８０ｒｐｍが適当であり、この回転速度が１５ｒｐｍ未満であると、導風口から導入されたミスト２０の一部が回転ドラム４の底部付近に滞留することになり、回転速度が８０ｒｐｍを超えると、ミスト２０の一部が遠心力で回転ドラム４の周壁の方に押しやられ、周壁等に衝突してウェットミストの存在比率を減少させることになる。
【００６２】
本実施の形態１で用いている超音波振動子３２の時間あたりのミスト発生量は、水溜め容器３１内の水２１の水温および超音波振動子３２を駆動する発振回路部（図示せず）への入力電圧等の変化により増減する。例えば、１．６ＭＨｚで発振する超音波振動子３２を用いた場合、他の条件を固定し、水温のみを５℃から３０℃に変化させると、ミスト発生量は約１．５倍になる。また、発振回路に入力する電圧のみを９５Ｖから１０７Ｖに変化させると、ここでもミスト発生量は約１．５倍になる。
【００６３】
前述した水温の変化、入力電圧の変化は家庭で普通に起こり得る変化であるため、仮にミスト発生量が最小となる条件で、シワのばしに最適な衣類の乾燥率を９０〜９６％になるような調整すると、ミスト発生量が最大となる条件ではミスト発生量が過剰になり衣類が乾燥率７０％近くまで、なおかつ不均一に濡れてしまうため、ミストを用いて湿らせる意味がなくなってしまう。逆に、ミスト発生量が最大となる条件で、衣類の乾燥率を９０〜９６％になるようにミスト発生量を調整すると、ミスト発生量が最小となる条件では、衣類は殆ど湿らず、衣類の乾燥率が９９％近辺に留まるため、シワのばしの効果が得られない。したがって、衣類を効果的に湿らせようとすると、水温および入力電圧を一定に保つことが望ましいが、そのような制御を組み入れようとすると、水温計測手段と水温調整手段、および入力電圧計測手段と入力電圧調整手段が必要となる。
【００６４】
本実施の形態１においては、このような計測手段や調整手段を用いず、ミスト２０で湿らせたときの衣類の乾燥率が９０〜９６％の範囲になるようにしている。すなわち、ミスト発生量が最も少なくなる低水温、低入力電圧の条件下で衣類の乾燥率が９０〜９６％になるように、発振回路部の出力と超音波振動子３２による霧化ユニット３０の霧化能力を設定している。このような霧化能力においてミスト発生量が最も多くなる高水温、高入力電圧の条件でミスト２０を発生させると、前述したように、衣類に対して過剰なミスト２０が供給されるが、この過剰なミスト２０を回転ドラム４の底壁４ｄ（隔壁部材４ｆ）に形成された底壁透孔４ｇにおいて凝集（トラップ）させて、余剰なミスト２０が回転ドラム４内に導入されるのを防止している。
【００６５】
この底壁透孔４ｇ周辺にトラップされるミスト２０の量は、底壁透孔４ｇとミスト２０との接触効率に依存し、この底壁透孔４ｇを通過しようとするミスト２０の量に応じて決まることになる。通過しようとするミスト２０の量が少ない場合には、接触効率が低いため、ほとんど底壁透孔４ｇにトラップされず、ミスト２０の量が過剰な場合には、接触効率が高くなるため、多くのミストが底壁透孔４ｇにトラップされることになる。
【００６６】
本実施の形態１においては、多数の底壁透孔４ｇを、隔壁部材４ｆのほぼ全域にわたって円周方向に長い略矩形状をなすように形成しているため、底壁透孔４ｇを円形状に形成するものに比べて、個々の底壁透孔４ｇの開口面積を大きく設定することができる。これにより、底板面（隔壁部材４ｆの円形面）に対する底壁透孔４ｇの開口面積比率を大きく設定することができ、回転ドラム４への送風量を多くして、大量のミスト２０を短時間に効率的に回転ドラム４内に導入することができる。
【００６７】
しかも、底壁透孔４ｇを略矩形状とすることにより、底壁透孔４ｇの開口面積比率およびミスト２０との接触効率を設定する際の自由度が広がることになる。この底壁透孔４ｇの開口面積比率を大きく、ミスト２０との接触効率を適正に設定することにより、水２１
の温度や発振回路部への入力電圧等が変化しても、ミスト発生量の増減に応じて底壁透孔４ｇ周辺で凝集させて回転ドラム４内に導入されるミスト量を大きく変化させることなく、一定の範囲内に維持できることになる。これにより、衣類表面を効果的にシワのばしに最適な乾燥率９０〜９６％に湿らせることができ、このような状態の衣類を乾燥することにより、衣類に入ったシワを効果的に低減することができる。
【００６８】
また、略矩形状の底壁透孔４ｇを、隔壁部材４ｆの中央部付近からその周縁部近くに達する広い領域に形成するとともに、略矩形状の長辺を円弧状にして同心円状に配列しているため、底壁透孔４ｇを秩序正しく配列させることができ、円形状に形成された底壁透孔を配列したものに比べて、底壁透孔４ｇの開口面積比率を７０〜９５％（本実施の形態１においては約８０％）と大きく設定することができる。底壁透孔４ｇの開口面積比率が大きいほど、回転ドラム４への送風量を多くして、大量のミスト２０を短時間に効率的に回転ドラム４内に導入することができる。また、略矩形状の多数の底壁透孔４ｇを、それらの間を区画する桟に相当する部分を狭くして配列することができ、このような桟にウェットミストが凝集して、回転ドラム４内に導入されるミスト量が減少するのを抑制して、大量のミスト２０を短時間に効率的に回転ドラム４内に導入することができる。このためには、開口面積比率を７０％以上とするのが望ましい。ただ、隔壁部材４ｆは、乾燥した空気の風圧にも耐えなければならず、所定の変形強度を持たせるためには、開口面積比率を９５％以下とするのが望ましい。
【００６９】
また、本実施の形態１において、隔壁部材４ｆの背面には、背面側に突出する複数の放射状リブ４ｈが略放射状に形成されるとともに、これらの放射状リブ４ｈに交差するように放射状リブ４ｈよりさらに背面側に突出する複数の円周リブ４ｉが同心円状に形成されている。ここでは、円周リブ４ｉにおける背面側への突出寸法が、放射状リブ４ｈの突出寸法よりも大きく設定されている。これにより、回転ドラム４の底壁透孔４ｇ周辺に凝集された水滴が、回転ドラム４の回転に伴い、重力もしくは遠心力により、隔壁部材４ｆの背面に形成した放射状リブ４ｈに沿って流れ、円周方向に形成した円周リブ４ｉに沿って回転方向の逆方向に集められて、放射状リブ４ｈと円周リブ４ｉとの交差する位置から水槽３内に排出されることで、霧化ユニット３０で霧化される水２１の温度、発振回路部への入力電圧等が変化しても、衣類表面を効果的に乾燥率９０〜９６％に湿らせることができ、このような状態の衣類を乾燥することにより、衣類に入ったシワを効果的に低減することができる。また、隔壁部材４ｆに、互いに交差する放射状リブ４ｈと円周リブ４ｉとを形成することにより、隔壁部材４ｆの変形強度を向上させることができ、その分、底壁透孔４ｇの開口面積比率を大きく設定することができる。
【００７０】
また、放射状リブ４ｈは、半径方向に対して回転ドラム４の回転方向の一方側に傾斜した形状に形成されている。放射状リブ４ｈを半径方向に対して傾斜して円弧形状に形成すると、半径方向に直線状に形成されるものに比べて、回転ドラム４の底壁透孔４ｇ周辺に凝集された水滴は、回転ドラム４の回転に伴い、半径方向に移動しやすく、放射状リブ４ｈと円周リブ４ｉとの交差位置に集められて、この交差位置から、あるいはこの交差位置に形成された突状リブ４ｊを伝って効率的に水槽３内に排出されることになる。
【００７１】
また、放射状リブ４ｈを半径方向に対して傾斜して円弧形状に形成すると、回転ドラム４が回転した際に、底面開口４ｅから回転ドラム４内に導入される乾燥した空気が、外方または内方寄りに向きを変えて回転ドラム４内に送り込まれることになる。実際には、回転ドラム４は正逆方向に交互に回転されるため、乾燥した空気は外方寄りおよび内方寄りに交互に向きを変えて回転ドラム４内に送り込まれ、この乾燥した空気の流れに乗って回転ドラム４内に導入されるミスト２０（特に、浮遊性の高いドライミスト）が回転ドラム４内において攪拌され、充満することになる。そして、このように攪拌され、回転ドラム４内に充満したミストが洗濯物を均一に湿らせるのに寄与して、衣類に入ったシワをより
効果的に低減することができる。
【００７２】
さらに、本実施の形態１では、放射状リブ４ｈおよび円周リブ４ｉが、底壁透孔４ｇの開口部分を遮ることのないように、多数の底壁透孔４ｇを区画する桟に相当する部分に立設されているため、放射状リブ４ｈや円周リブ４ｉの存在によって底壁透孔４ｇの開口面積を減少させることなく、大量のミスト２０を短時間に効率的に回転ドラム４内に導入することができる。また、放射状リブ４ｈや円周リブ４ｉが障害となって、ミストが余分に放射状リブ４ｈや円周リブ４ｉの周辺に凝集されて、回転ドラム４内に導入されるミスト量が減少することもなくなる。
【００７３】
さらに、本実施の形態１では、底壁４ｄに形成された複数の底面開口４ｅの間を仕切る開口仕切り部４ｋは、半径方向に放射状に形成され、この開口仕切り部４ｋと隔壁部材４ｆの背面に形成された放射状リブ４ｈとは、ある傾斜角度をもって対向している。放射状リブ４ｈと開口仕切り部４ｋとをある程度の傾斜角度をもって対向配置することにより、開口仕切り部４ｋにより遮られた前方側の位置にも、ミスト２０が底壁透孔４ｇの開口部分を介して乾燥した空気に乗って回り込むようにして送り込まれるため、ミスト２０を、開口仕切り部４ｋの前方側で部分的に希薄となるようなムラを生じることなく、均一な状態で回転ドラム４内に導入することができる。そして、このように回転ドラム４内に均一に導入されたミスト２０により、衣類を均一に湿らせ、衣類に入ったシワをより効果的に低減することができる。
【００７４】
（実施の形態２）
次に、本発明の実施の形態２に係るドラム式洗濯乾燥機における底壁の構造について、図９、図１０に基づき詳細に説明する。図９は、本発明の実施の形態２に係るドラム式洗濯乾燥機の回転ドラムの底壁の構造を説明するための背面図であり、図１０は、その側面断面図である。本実施の形態２に係るドラム式洗濯乾燥機は、回転ドラムの底壁の構造において上記の実施の形態１のドラム式洗濯乾燥機と同様に構成されるため、回転ドラムの底壁の構造以外の事項については説明を省略する。
【００７５】
上記の実施の形態１では、回転ドラムの隔壁部材の背面に放射状リブ４ｈと、この放射状リブ４ｈよりもさらに背面側に突出するように円周リブ４ｉを形成していたが、これに代えて、図９、図１０に示すように、円周リブ４ｉを放射状リブ４ｈよりも小さな突出寸法で形成し、放射状リブ４ｈと円周リブ４ｉとが交差する位置に、放射状リブ４ｈよりさらに背面側に突出する複数の突起リブ４ｊを形成しても良い。なお、複数の突起リブ４ｊが形成される位置は、放射状リブ４ｈと円周リブ４ｉとの交差位置の少なくとも一部であれば良く、交差位置の全ての位置であっても良い。これにより、回転ドラム４の底壁透孔４ｇ周辺に凝集された水滴が、回転ドラム４の回転に伴い、重力もしくは遠心力により、放射状リブ４ｈおよび円周リブ４ｉに沿って流れ、放射状リブ４ｈと円周リブ４ｉとの交差する位置に集められて、この交差位置に形成された突状リブ４ｊを伝って水槽３内に排出されることで、霧化ユニット３０で霧化される水２１の温度、発振回路部への入力電圧等が変化しても、衣類表面を効果的に乾燥率９０〜９６％に湿らせることができる。そして、このような状態の衣類を乾燥することにより、衣類に入ったシワを効果的に低減することができる。また、隔壁部材４ｆに、互いに交差する放射状リブ４ｈと円周リブ４ｉとを形成することにより、隔壁部材４ｆの変形強度を向上させることができ、その分、底壁透孔４ｇの開口面積比率を大きく設定することができる。
【００７６】
また、導風口１８の前方に対向する回転ドラムの隔壁部材の前面に衣類が張り付いて、導風口１８から水槽３、底面開口４ｅ、底壁透孔４ｇを通って流れる空気の流れを塞いだ場合であっても、円周リブ４ｉの突出寸法を小さく設定したことにより、回転ドラム４の背面側を比較的自由に空気が流れるようにして、衣類で塞がれた部分を迂回する形で回転
ドラム４内への空気の流れが確保され、循環送風経路９内の空気の送風がスムーズに行える効果がもたらされる。したがって、これにより、より一層短時間で衣類を湿らせることができ、さらに同様にして短時間で乾燥も行えるため、短い時間で衣類のシワを低減することができる。
【００７７】
（その他の変形実施例）
上記の実施の形態１、２では、放射状リブ４ｈを半径方向に対して傾斜して円弧形状に形成したが、これに代えて、放射状リブ４ｈを半径方向に対して傾斜して直線状等の他の形状に形成しても良い。放射状リブ４ｈを半径方向に対して傾斜して直線状に形成した場合であっても、半径方向に直線状に形成されるものに比べて、回転ドラム４の底壁透孔４ｇ周辺に凝集された水滴は、回転ドラム４の回転に伴い、半径方向に移動しやすく、放射状リブ４ｈと円周リブ４ｉとの交差位置に集められて、この交差位置から、あるいはこの交差位置に形成された突状リブ４ｊを伝って効率的に水槽３内に排出されることになる。
【００７８】
上記の実施の形態２では、放射状リブ４ｈと円周リブ４ｉとが交差する位置に、放射状リブ４ｈよりさらに背面側に突出する複数の突起リブ４ｊを形成したが、この突起リブ４ｊは必ずしも設けなくても良い。この突起リブ４ｊを設けなくても、回転ドラム４の底壁透孔４ｇ周辺に凝集された水滴を、回転ドラム４の回転に伴い、放射状リブ４ｈおよび円周リブ４ｉに沿わせて流し、放射状リブ４ｈと円周リブ４ｉとの交差する位置に集めて、この交差位置から水槽３内に排出することができる。
【００７９】
なお、上記の実施の形態１、２では、霧化ユニット３０内のミスト発生源として水２１を用いた例を説明したが、用途に応じて、Ａｇイオン電解液、洗剤液、消臭液、除菌液等を用いてもよく、それぞれの液剤（ミスト発生源）に対応した効果を得ることができる。
【産業上の利用可能性】
【００８０】
上記の実施の形態では、回転ドラムを傾斜配置したドラム式洗濯乾燥機を例にとって、本発明の技術的内容を説明したが、回転ドラムを水平方向に配した（回転ドラムの軸心を鉛直方向に配した）洗濯機にも本発明の技術的内容を適用することができ、また、乾燥機を伴わない洗濯機にも適用することができる。
【図面の簡単な説明】
【００８１】
【図１】本発明の実施の形態１に係るドラム式洗濯乾燥機の構造を説明するための側面断面図である。
【図２】本発明の実施の形態１に係るドラム式洗濯乾燥機の循環送風経路および霧化ユニットの配置を説明するための筐体背面側から見た斜視図である。
【図３】本発明の実施の形態１に係るドラム式洗濯乾燥機の循環送風経路および霧化ユニットの構造を説明するための筐体背面側から見た一部を切り欠いて示す断面図である。
【図４】本発明の実施の形態１に係るドラム式洗濯乾燥機の霧化ユニットと水槽との接続構造を説明するための側面断面図である。
【図５】本発明の実施の形態１に係るドラム式洗濯乾燥機の回転ドラムの底壁の構造を説明するための背面図である。
【図６】本発明の実施の形態１に係るドラム式洗濯乾燥機の回転ドラムの底壁の構造を説明するための側面断面図である。
【図７】本発明の実施の形態１に係るドラム式洗濯乾燥機の霧化ユニットの構造を説明するための側面断面図である。
【図８】本発明の実施の形態１に係るドラム式洗濯乾燥機の霧化ユニットの構造を説明するための背面断面図である。
【図９】本発明の実施の形態２に係るドラム式洗濯乾燥機の回転ドラムの底壁の構造を説明するための背面図である。
【図１０】本発明の実施の形態２に係るドラム式洗濯乾燥機の回転ドラムの底壁の構造を説明するための側面断面図である。
【図１１】従来の霧化ユニットを備える洗濯乾燥機の構造を説明するための断面図である。
【図１２】従来の霧化ユニットを備える衣類乾燥機の構造を説明するための断面図である。
【符号の説明】
【００８２】
１      ドラム式洗濯乾燥機
２      洗濯乾燥機筐体
３      水槽
４      回転ドラム
４ａ    周壁
４ｂ    周壁透孔
４ｃ    攪拌突起
４ｄ    底壁
４ｅ    底面開口
４ｆ    隔壁部材
４ｇ    底壁透孔
４ｈ    放射状リブ
４ｉ    円周リブ
４ｊ    突起リブ
４ｋ    開口仕切り部
９      循環送風経路
１０    蒸発器（除湿手段）
１１    凝縮器（加熱手段）
１２    送風ファン（送風手段）
１８    導風口
２０    ミスト
２１    水（液体）
３０    霧化ユニット
３１    水溜め容器
３１ｅ  接続口
３２    超音波振動子
３３    注水装置
３４    注水ホース
３５    水温センサ
３６    整流フィン
【図１】
0004499769.tif 000002
【図２】
0004499769.tif 000003
【図３】
0004499769.tif 000004
【図４】
0004499769.tif 000005
【図５】
0004499769.tif 000006
【図６】
0004499769.tif 000007
【図７】
0004499769.tif 000008
【図８】
0004499769.tif 000009
【図９】
0004499769.tif 000010
【図１０】
0004499769.tif 000011
【図１１】
0004499769.tif 000012
【図１２】
0004499769.tif 000013